(57)【要約】【課題】毛束を構成するブリッスルの各々の引き抜き抵抗がばらつくのを抑制して、毛ずれが生じるのを効果的に回避することのできる歯ブラシを提供する。【解決手段】複数本のブリッスル１２を束ねてなる毛束１３が、植毛台２０に形成された植毛孔１１に、平線１４を用いて二つ折りにされた状態で植設されている歯ブラシ１０であって、平線１４を用いて毛束１３が植設されている植毛孔１１の孔底部１１ａには、打ち込まれた平線１４の直下部分に配置されて、平線１４が植毛孔１１を横断する方向に延設する凹部１５が形成されている。毛束１３は、二つ折りにされた折れ曲がり部１３ａが、平線１４と凹部１５との間に挟みこまれた状態で植設されている。【選択図】図２
2018108129.tif 000002
【特許請求の範囲】
【請求項１】
複数本のブリッスルを束ねてなる毛束が、植毛台に形成された植毛孔に、平線を用いて二つ折りにされた状態で植設されている歯ブラシであって、
前記植毛孔の孔底部には、打ち込まれた前記平線の直下部分に配置されて、前記平線が前記植毛孔を横断する方向に延設する凹部が形成されており、
前記毛束は、二つ折りにされた折れ曲がり部が、前記平線と前記凹部との間に挟みこまれた状態で植設されている歯ブラシ。
【請求項２】
前記植毛台に形成された複数の植毛孔の全ての孔底部に、前記凹部が形成されており、前記毛束が、前記平線を用いて前記植毛孔に各々植設されている請求項１記載の歯ブラシ。
【請求項３】
前記凹部は、孔底部の他の部分よりも一段低くなった窪み状の凹溝として形成されている請求項１又は２記載の歯ブラシ。
【請求項４】
前記植毛台は、ポリアセタール樹脂、ポリスチレン樹脂、ポリエチレンテレフタレート樹脂、アクリロニトリルブタジエンスチレン樹脂、セルロースプロピオネート樹脂、ポリアリレート樹脂、ポリカーボネート樹脂、アクリロニトリルスチレン樹脂、ポリエステル、ポリトリメチレンテレフタレート、ポリシクロヘキサンジメチレンテレフタレートから選ばれる一種又は二種以上を用いて形成されている請求項１〜３のいずれか１項記載の歯ブラシ。
【発明の詳細な説明】
【技術分野】
【０００１】
本発明は、歯ブラシに関し、特に、複数本のブリッスルを束ねてなる毛束が、平線を用いて植設されている歯ブラシに関する。
【背景技術】
【０００２】
歯ブラシの植毛台に形成された植毛孔に、複数本のブリッスルを束ねてなる毛束を植設する方法として、薄い金属製の平板である平線を用いる方法が知られている。これは、毛束をその中央部分で二つ折りにし、折れ曲がり部分の内側に平線をあて、これを合成樹脂製の歯ブラシの植毛台に形成された植毛孔に、打ち込むことにより植毛する方法である（図１参照）。平線は、植毛孔の直径よりも長い寸法を備えているので、その両端部分が植毛孔の外周部分に無理打ちされて、植毛孔の孔壁内に食い込むことにより固定され、毛束は、その折れ曲がり部分が平線と孔底部との間に挟み込まれることで、植毛孔内に固定される。このような方法で固定化した歯ブラシは、歯磨きの際に毛束を噛む等の行為により、毛束そのものが平線ごと抜け落ちる、いわゆる「タフト抜け」の問題が生じる場合がある。
【０００３】
そこで、平線を用いて毛束を植毛台に植設した歯ブラシにおいて、植設した毛束やブリッスルが、植毛孔から抜けるのを防止できるようにした歯ブラシが、種々開発されている。例えば、特許文献１では、植毛孔の底面が円錐状に窄まり、該底面に断面台形状の凹部が形成されている歯ブラシが開示されている。特許文献２では、植毛孔の内方へ張り出すことによって、それより下方の孔径が上方の孔径よりも小さくなる縮径段部を、周方向において部分的に形成し、平線をその長手方向両端が前記張出した部分にかからないように打ち込んで、植毛孔内の縮径した部分で毛茎部を厚密状に保持した歯ブラシが開示されている。特許文献３では、植毛穴の内周面における、毛束の折り返しにより屈曲した外周面に対面する所定の深さ位置に、外周面に食い込む縮径段差部を設けるとともに、植毛穴の底面に、毛束の折り返しの曲率半径よりも大きな曲率半径の凹曲面からなる当接面を設けた歯ブラシが開示されている。
【先行技術文献】
【特許文献】
【０００４】
【特許文献１】実開平２−１４５１２３号公報
【特許文献２】実用新案登録第２５５４８３８号公報
【特許文献３】特開２０１５−８３０４４号公報
【発明の概要】
【発明が解決しようとする課題】
【０００５】
しかしながら、上記従来の植毛孔の底面に円錐状の縮径段差部を設けることによって、植設した毛束やブリッスルが植毛孔から抜けるのを防止できるようにした特許文献１から特許文献３の歯ブラシでは、植毛孔の底面が平らな歯ブラシと比較して、植毛強度の向上は得られるものの、十分にタフト抜けの問題が解消されない場合があった。また、植毛孔の内部が縮径しているため、植毛時に強い力で深く毛束を押し込む必要があり、その結果、植毛台の座割れやクラック等を生じる可能性が高くなるとともに、毛束の先端があたかも使用済みの歯ブラシのごとく広がり、外観上大きな問題となる場合があった。また、特許文献１から特許文献３の歯ブラシを植毛機で植毛しようとすると、高速に植毛することが困難であるため、植毛に要するサイクルタイムが伸びるという生産性の問題も別途生じる。
更に、平線を用いて毛束を植毛台に植設した歯ブラシは、例えば歯磨きの際にブリッスルが歯間に挟まった場合に、ブリッスルが植毛孔から抜け出る、いわゆる「毛ずれ」の問題が生じる場合があったが、特許文献１から特許文献３の歯ブラシでは十分対応できていなかった。
【０００６】
本発明は、その製造方法や製造器具（植毛機の種類）、歯ブラシの材質によらず、毛束を構成する複数のブリッスルの各々の引き抜き抵抗の差を解消し、毛束全体の植毛強度を向上することで、毛ずれやタフト抜けが生じるのを効果的に回避することのできる歯ブラシを提供することを目的とする。
【課題を解決するための手段】
【０００７】
本発明者らは、特許文献１から特許文献３の歯ブラシは、毛束を構成する各ブリッスルにかかる引き抜き抵抗の差が大きい点に着目し、植毛孔の底部付近を特定の構造にすることで、植毛孔の内部で毛束の下部側面を支えるように挟み込むことを着想した。これにより、植毛時に毛束を過度な力で押し込むことなく、毛束全体の植毛強度が向上し、かつ、複数のブリッスル各々の引き抜き抵抗の差を低減できることを見出し、本発明を完成するに至った。
【０００８】
即ち、本発明は、複数本のブリッスルを束ねてなる毛束が、植毛台に形成された植毛孔に、平線を用いて二つ折りにされた状態で植設されている歯ブラシであって、前記植毛孔の孔底部には、打ち込まれた前記平線の直下部分に配置されて、前記平線が前記植毛孔を横断する方向に延設する凹部が形成されており、前記毛束は、二つ折りにされた折れ曲がり部が、前記平線と前記凹部との間に挟みこまれた状態で植設されている歯ブラシを提供することにより、上記目的を達成したものである。
【発明の効果】
【０００９】
本発明の歯ブラシによれば、打ち込まれた平線と植毛孔の孔底部との間に折れ曲がり部分が挟み込まれた、毛束を構成する複数のブリッスルの各々の引き抜き抵抗の差を解消して、毛束全体の植毛強度を向上させることで、毛ずれやタフト抜けが生じるのを効果的に回避することができる。また、毛束先端が広がることもなく、外観も良い。
【図面の簡単な説明】
【００１０】
【図１】本発明の好ましい一実施形態に係る歯ブラシを形成する際に、複数本のブリッスルを束ねた毛束を、植毛台に形成された植毛孔に、平線を用いて二つ折りにした状態で植設する状況を説明する略示斜視図である。
【図２】本発明の好ましい一実施形態に係る歯ブラシの構成を説明する、毛束を除いた状態の植毛部の拡大平面図である。
【図３】（ａ）は、平線が打ち込まれる前の植毛孔の、図１のＡ−Ａに沿った拡大断面図、（ｂ）は、図１のＢ−Ｂに沿った拡大断面、（ｃ）は、（ｂ）のＣ−Ｃに沿った拡大断面図である。
【図４】（ａ）は、平線が打ち込まれて毛束が植設された植毛孔の、図２のＡ−Ａに沿った拡大断面図、（ｂ）は、図２のＢ−Ｂに沿った拡大断面図である。
【図５】（ａ）〜（ｃ）は、植毛孔の孔底部に形成された凹溝による凹部を説明する略示断面図である。
【図６】植毛孔の孔底部に形成された凹部の他の形態を例示する、（ａ）は、平線が打ち込まれる前の植毛孔の図２のＡ−Ａに沿った拡大断面図、（ｂ）は、図２のＢ−Ｂに沿った拡大断面図である。
【発明を実施するための形態】
【００１１】
図１に示す本発明の好ましい一実施形態に係る歯ブラシ１０は、把持部（図示せず）と植毛台２０とここれらを連結する首部２１とからなる歯ブラシ本体２２の、植毛台２０に形成された複数の植毛孔１１に、複数本のブリッスル１２を束ねてなる毛束１３を、平線１４を用いて二つ折りにした状態で各々植設することによって構成される。
【００１２】
そして、本実施形態の歯ブラシ１０は、図２〜図４に示すように、平線１４を用いて毛束１３が植設されている植毛孔１１の孔底部１１ａには、打ち込まれた平線１４の直下部分に配置されて、平線１４が植毛孔１１を横断する方向に延設する凹部１５が形成されている。そして、毛束１３は、二つ折りにされた折れ曲がり部１３ａが、平線１４と凹部１５との間に挟みこまれた状態で植設されている。これによって、毛束１３は、凹部１５の底部や平線１４のみならず、開口縁部１５ａや側面部１５ｂによってしっかりと挟み込まれ、複数本のブリッスル１２の引き抜き抵抗に差が生じるのを抑制し、毛ズレ、タフト抜けを低減する。また、凹部１５が平線１４の直下部分に配置され、平線１４が植毛孔１１に延設されていることから、毛束１３の折れ曲がり部を、縮径した空間に無理やり押し込む必要が無く、毛束１３の先端の広がりが生じにくい。本実施形態では、好ましくは植毛台２０に形成された複数の植毛孔１１の全ての孔底部１１ａに、凹部１５が形成されており、毛束１３が、平線１４を用いて全ての植毛孔１１に各々植設されている。
【００１３】
そして、本実施形態の歯ブラシ１０では、植毛孔１１の孔底部１１ａに形成された凹部１５は、平線１４が植毛孔１１を横断する方向と同様の方向に延設して設けられている（図２参照）。図２においては、植毛孔１１を開口部側から見た際に、凹部１５は、植毛孔１１の孔底部１１ａの径方向の端から端まで全域にわたって、平線１４が横断する方向と同様の方向に直線状に延設して設けられている。凹部１５は、円形の平坦な面となっている植毛孔１１の孔底部１１ａの中央部分を、植毛台２０の長手方向Ｘに対して例えば２５度傾けた直径方向に横断するように形成されている。ここで、凹部１５が延設する、平線１４が延設する方向と同様な方向は、平線１４が延設する方向と合致する、これと平行な方向である必要は必ずしも無く、後述するように、各々の毛束１３を構成するブリッスル１２の全体を、折れ曲がり部１３ａにおいて、凹部１５の開口縁部１５ａや側面部１５ｂ（図３、図４参照）と、平線１４との間に挟み込むことが可能な範囲で、平線１４が延設する方向と平行な方向から、僅かにずれた方向であっても良い。
【００１４】
また、本実施形態では、凹部１５は、好ましくは、植毛孔１１の孔底部１１ａの他の部分よりも一段低くなった、窪み状の凹溝として形成されている（図３（ａ）、図４（ａ）参照）。すなわち、凹部１５である凹溝は、円形の平坦な面となっている孔底部１１ａの中央部分を溝状に窪ませることによって、例えば幅が０．３５〜０．６ｍｍ程度、深さが０．１〜０．８ｍｍ程度の大きさの矩形状の断面形状を備える、直線状の凹溝として形成されている。このような凹溝による凹部１５は、例えば図５（ａ）に示す平坦な孔底部１１ａの底面部に、図５（ｂ）に示すように、凹溝１５を掘りこむように形成されていても良いが、植毛台２０の強度の向上を図る点から、図５（ｃ）に示すように、孔底部１１ａの底面部における、凹溝１５となる部分を挟んだ両側に、一対の弓形形状の段差片１１ｂを盛り込んだような形状とすることが好ましい。このような形状は、射出成形によって歯ブラシ本体２２を形成する際に、植毛孔１１の孔底部１１ａと面する部分の金型の形状を、所定の形状となるように加工しておくことにより設けることができる。凹部１５が、孔底部１１ａの他の部分よりも一段低くなった窪み状の凹溝として形成されていることにより、金型の加工が容易になると共に、射出成形する際に、凹部１５が形成される部分の孔底部１１ａに樹脂を流し易くなる。
【００１５】
なお、本発明の歯ブラシでは、植毛孔１１の孔底部１１ａに形成される凹部は、孔底部１１ａの他の部分よりも一段低くなった、窪み状の凹溝となっている必要は必ずしも無く、後述するように、毛束１３を構成するブリッスル１２の全体を、折れ曲がり部１３ａにおいて、凹部の開口縁部や側面部と、平線１４との間に挟み込むことが可能な範囲で、種々の形態の凹部とすることができる。例えば、図６（ａ）、（ｂ）に示すように、植毛孔１１の平坦な孔底部１１ａの中央部分に、平線１４が延設する方向に直線状に平行に延設させて、一対の凸リブ１６を形成し、これらの一対の凸リブ１６によって挟まれる凹状の部分を、凹部１５’とすることもできる。図６（ａ）、（ｂ）に示す凹部１５’によっても、凸リブ１６の内側の角部１６ａによる開口縁部や内側の側面部１６ｂと、平線１４との間に、毛束１３を構成するブリッスル１２の全体を挟み込むことが可能になって、後述する作用効果と同様の作用効果を奏することが可能になる。なお、リブを上から見た時の形状は、凹部１５’が形成されていればどのような形でも良い。
【００１６】
本実施形態では、凹部１５は、打ち込まれる平線１４が植毛孔１１を横断する方向と同様の方向に延設して、平線１４の直下部分に配置されるように形成されている。毛束１３は、折り曲げた際の折れ曲がり部１３ａの内側に平線１４をあてた状態で、平線１４と共に植毛孔１１に向けて打ち込まれる。このように、毛束１３は、二つ折りにされた折れ曲がり部１３ａが、平線１４と凹部１５との間に挟みこまれた状態で植設される。これによって、各々の毛束１３を構成する複数本のブリッスル１２は、二つ折りにされた毛束１３の折れ曲がり部１３ａにおいて、図４（ａ）、（ｂ）に示すように、平線１４及び凹部１５が平行又は略平行に延設する植毛孔１１の直径方向の全域又は略全域に亘って、平線１４と凹部１５の開口縁部１５ａとの間に挟み込まれた状態で、植毛されることになる（図４（ｂ）参照）。また、平線１４が凹部１５に対して更に深く打ちこまれた場合（図示せず）、毛束１３は、折れ曲がり部１３ａにおいて、凹部１５の開口縁部１５ａ又は側面部１５ｂと、平線１４との間に挟み込まれた状態で植毛される。
【００１７】
そして、上述の構成を備える本実施形態の歯ブラシ１０によれば、打ち込まれた平線１４と植毛孔１１の孔底部１１ａとの間に折れ曲がり部分１１ａが挟み込まれた、毛束１１を構成するブリッスル１２の各々の引き抜き抵抗がばらつくのを抑制して、毛ずれが生じるのを効果的に回避することが可能になる。
【００１８】
すなわち、本実施形態の歯ブラシ１０によれば、毛束１３を構成する複数本のブリッスル１２は、二つ折りにされた毛束１３の折れ曲がり部１３ａにおいて、平行又は略平行に延設する平線１４及び凹部１５に沿って、植毛孔１１の直径方向の全域又は略全域に亘って配置される。更に毛束１３を構成する複数本のブリッスル１２は、その全体が、平線１４の下端部分と、当該下端部分の直下部分にこれと平行又は略平行に延設して配置された、凹部１５の開口縁部１５ａや側面部１５ｂとの間の、幅の狭い間隔部分に、略均等な挟み込み圧力によって挟みこまれた状態で、各々の植毛孔１１に植毛される。このため、略均等な挟み込み圧力によって、複数本のブリッスル１２の各々の引き抜き抵抗がばらつくのを抑制することが可能となり、各々の毛束１３を構成する複数本のブリッスル１２に毛ずれが生じるのを、効果的に回避することが可能になる。
【００１９】
なお、本発明では、例えば、植毛台に形成された全ての植毛孔の孔底部に、凹部が形成されていて、これらの全ての植毛孔に平線を用いて毛束が植設されている必要は必ずしもなく、植毛台に形成された複数の植毛孔のうちの一部の孔底部にのみ凹部が形成されていて、一部の植毛孔にのみ、毛束が、平線と凹部との間に折れ曲がり部を挟み込んだ状態で植設されていても良い。植毛台に植設された毛束の一部が、平線を用いることなく、融着植毛等によって植設されたものであっても良い。
【００２０】
本実施形態では、歯ブラシ１０を構成する歯ブラシ本体２２は、歯ブラシ本体を構成する樹脂として一般的に使用されている合成樹脂を特に制限無く用いる事ができるが、ポリアセタール樹脂、ポリスチレン樹脂、ポリエチレンテレフタレート樹脂、アクリロニトリルブタジエンスチレン樹脂、セルロースプロピオネート樹脂、ポリアリレート樹脂、ポリカーボネート樹脂、アクリロニトリルスチレン樹脂、ポリエステル、ポリトリメチレンテレフタレート、ポリシクロヘキサンジメチレンテレフタレートから選ばれる一種又は二種以上であることが好ましい。また、美しい外観を得る観点から、これらの樹脂は、透明な樹脂である事が好ましい。
【００２１】
これらの好ましい樹脂を用いる場合には、歯ブラシの樹脂として一般的に用いられているポリプロピレン樹脂と比較して、耐薬品性に劣ると共に、硬い樹脂であることから、平線を強い力で打ちこむと内部残留応力が高くなり、歯ブラシの使用者が例えばアルコール等で植毛部を消毒する等の行為により、植毛台の座割れやクラック等を生じる可能性がさらに高くなる。その場合、平線１４を打ち込んだ際の内部残留応力を取り除く緩和処理のため、毛束１３の植毛後に歯ブラシ本体２２を６０〜７０℃で連続１時間加熱処理を行うアニーリングを行う。
【００２２】
本発明の歯ブラシは、一般的な樹脂を用いて歯ブラシ本体が形成されている場合のみならず、アニーリング処理のように内部残留応力を緩和し、平線による毛束の固定強度が低下しブリッスルの引き抜き抵抗が低下した場合、すなわち毛ずれやタフト抜けの問題が生じ易い状態であっても、毛ズレやタフト抜けの問題が生じにくい。
【００２３】
歯ブラシ本体２２の植毛台２０は、本実施形態では、例えば長円形状（トラック円形状）の平面形状を備えるのが好ましい。また、植毛台２０の平坦な表面には、縦横に所定の間隔をおいて、複数（本実施形態では４０箇所）の植毛孔１１が分散配置されて形成されている。
【００２４】
なお、本発明の歯ブラシは、歯ブラシ本体の植毛台２０が、２．５〜５．５ｍｍ程度の厚さを有していることが好ましく、口腔内での操作性や取り扱い易さを向上させる観点から、３．５〜４．５ｍｍ、程度の厚さを有していることがより好ましく、２．５〜３．４ｍｍ程度の薄い厚さを有していることが更に好ましい。
【００２５】
歯ブラシの口腔内での操作性を向上させるため、植毛台２０の薄厚化を図ろうとした場合、植毛孔１１の深さを浅くする必要があることから、毛ズレやタフト抜けの問題が生じやすくなったり、あるいは植毛強度を上げるために植毛時に無理な押し込みをして毛束１３の先端が広がる可能性が更に高くなるが、本発明の歯ブラシは植毛台２０の厚さが一般的な厚みである場合のみならず、植毛台２０を薄厚化した場合であっても、毛ズレやタフト抜け、更には毛束１３の先端が広がるという問題が生じにくい。
【００２６】
歯ブラシ本体２２の植毛台２０の表面に形成された複数の植毛孔１１は、本実施形態では、各々、例えば０．８〜２．５ｍｍ程度の直径の円形断面を備えると共に、例えば２．０〜５．０ｍｍ程度の深さを有する有底の孔部となっている。複数の植毛孔１１の各々の孔底部１１ａには、上述のように、凹部１５が形成されている。複数の植毛孔１１の各々には、複数本のブリッスル１２を束ねてなる毛束１３が、平線１４を用いて植設されている。
【００２７】
各々の植毛孔１１に植設される毛束１３を構成するブリッスル１２は、好ましくはナイロン、ポリエステル、ポリオレフィン等のブリッスルに用いられている周知の合成樹脂を、特に制限なく用いることができる。また、ブリッスルは例えば０．１０〜０．２５ｍｍ（４〜１０ｍｉｌ）程度の太さを有するフィラメントト材であって、これを例えば十数本〜数十本束ねることによって、毛束１３が構成される。また、ブリッスル１２は、例えば１５〜３５ｍｍの長さを有しており、毛束１３を中央部分で二つ折りに折り曲げて、この折れ曲がり部１３ａの側から植毛孔１１に挿入されて、平線１４を用いて毛束１３が植設された際に、植毛台２０の表面からの当該ブリッスル１１の高さ（毛丈）が、例えば８〜１３ｍｍとなるように植毛されている。
【００２８】
ここで、本実施形態では、歯ブラシ本体２２の植毛台２０に形成された植毛孔１１の深さと、植毛台２０に植設された毛束１３を構成するブリッスル１２の毛丈との比（植毛孔の深さ／ブリッスルの毛丈）は、０．２〜０．３３となっていることが好ましい。植毛孔１１の深さとブリッスル１２の毛丈との比が、０．２〜０．３３となっていることにより、毛ズレやタフト抜けの問題が生じにくくなる。また、植毛孔１１の深さとブリッスル１２の毛丈との比が、０．２〜０．３３となっていることで、毛束１３の抜けや、ブリッスル１２の毛ずれの問題を生じ易くなるが、本実施形態の歯ブラシ１０によれば、植毛孔１１の孔底部１１ａが、上述の所定の形状を備えていることにより、特に、植設された毛束１３を構成するブリッスル１２に毛ずれが生じるのを、効果的に回避できるようになっている。
【００２９】
本実施形態では、平線１４は、好ましくはステンレス、真鍮、アルミ等かからなる金属製の板状部材であり、厚さが例えば０．１〜０．４ｍｍ程度、幅（高さ）が例えば０．５〜３．０ｍｍ程度、長さが例えば１．０〜３．０ｍｍ提訴の大きさを備えている。また平線１４の長さは、植毛孔１１の直径よりも例えば０．２〜１．０ｍｍ程度長くなっている。平線の表面は平滑面でも良いが、タフト抜けをより一層抑制する観点から、片面又は両面に溝を形成しているものが好ましく、両面に溝を形成しているものが更に好ましい。
【００３０】
平線１１は、相当の硬度を有する金属等からなるので、植毛孔１１に打ち込まれる際に、その両端部分は、平線１４よりも硬度の小さい合成樹脂製の植毛台２０における植毛孔１１の外周部分に、無理打ちされつつ食い込むようにして埋設され、両端の埋設部分において、植毛台２０を形成する周囲の樹脂と密着する。本実施形態では、平線１４は、全ての植毛孔１１において、植毛台２０の長手方向Ｘに対して例えば２５度傾けた方向に延設させて、植毛孔１１の直径方向に横断した状態となるように打ち込まれている（図２参照）。
【実施例】
【００３１】
以下、実施例及び比較例により、本発明の歯ブラシをさらに詳細に説明するが、本発明は、以下の実施例及び比較例の記載によって何ら制限されるものではない。
【００３２】
〔実施例１、２の歯ブラシ、比較例１、２の歯ブラシ〕
上記実施形態の歯ブラシと同様の構成を備え、凹部の周囲を底上げして凹溝を形成したことにより（図６（ｃ）参照）、図３（ａ）〜（ｃ）と同様の凹部形状を有する歯ブラシを、実施例１の歯ブラシとした。実施例１の歯ブラシにおいて、植毛台の厚さを４．５ｍｍとし、４０箇所の各々の円形の植毛孔の孔径を１．４ｍｍとし、各々の植毛孔の孔深さを３．５ｍｍとし、凹部の幅を０．４ｍｍとし、凹部１５の深さを０．１５ｍｍとした。毛束（タフト）を構成する毛（ブリッスル）として、太さが６ｍｉｌ（０．１５２ｍｍ）のものを使用し、これを２１〜２８本束ねることによって、毛束を構成した。平線として、厚さが０．２ｍｍの通常平線を使用した。
また、凹部の幅を０．６ｍｍとした以外は実施例１の歯ブラシと同様の構成を備える歯ブラシを実施例２の歯ブラシとした。
【００３３】
植毛台に形成された各々の植毛孔の孔底部に凹部は形成されておらず、孔底部がフラットな形状を有している（図６（ａ）参照）こと以外は、実施例１の歯ブラシと同様の構成を備える歯ブラシを、比較例１の歯ブラシとした。更に、植毛孔の孔深さを３．７ｍｍとした以外は、比較例１と同様の構成を備える歯ブラシを比較例２の歯ブラシとした。実施例１、２の歯ブラシ及び比較例１、２の歯ブラシについて、後述する方法によって、歯ブラシのタフト抜き強度試験を行った。これらの歯ブラシに関する、タフト抜け強度及び毛ずれ強度の試験結果を表１に示す。
【００３４】
【表１】
2018108129.tif 000003
【００３５】
〔歯ブラシのタフト抜き強度試験〕
タフト（毛束）の抜き強度は、植毛孔一孔に植設されたタフトを、タフトごと１０ｍｍ／ｓｅｃの引張速度で引き抜き、抜けた時の引っ張り荷重をプッシュプルケージにて測定した。測定は植毛台２０に植えられた毛束をランダムに５カ所選択し、１カ所あたり５回測定した。全測定値の最大値、最小値、全測定値（２５回）から算出した平均値及び標準偏差について、実施例と比較例を比較し、本発明の効果を評価した。
【００３６】
〔毛ずれ強度の評価方法〕
毛ズレ強度は、植毛孔一孔に植設された複数本のブリッスルのうち、平線から遠い位置にある外側の一本のブリッスルを１０ｍｍ／ｓｅｃの引張速度で引き抜き、ブリッスルがずれはじめる時の引張荷重をプッシュプルゲージにて測定した。測定は植毛台２０に植えられた毛束からランダムに１１カ所選択し、１カ所あたり５回測定した。全測定値の最大値、最小値、全測定値（５５回）から算出した平均値及び標準偏差について、実施例と比較例を比較し、本発明の効果を評価した。
【００３７】
１孔の本数は、抜き強度を試験したタフトと同じ位置の毛束について、引き抜いた毛束の毛の本数を数えることにより測定した。
【００３８】
表１に示す、タフト抜け強度及び毛ずれ強度の試験結果によれば、本発明に係る実施例１、２の歯ブラシは、比較例１、２の歯ブラシと比較して、タフト抜け強度及び毛ずれ強度のいずれもアップしていることが判明する。また特に、毛ずれ強度について、本発明に係る実施例１、２の歯ブラシは、比較例１、２の歯ブラシと比較して、相当程度アップしていることが判明する。
【符号の説明】
【００３９】
１０  歯ブラシ
１１  植毛孔
１１ａ  孔底部
１２  ブリッスル
１３  毛束
１３ａ  折れ曲がり部
１４  平線
１５，１５’  凹部（凹溝）
１５a  開口縁部
１５ｂ  側面部
１６  凸リブ
１６ａ  内側の角部
１６ｂ  内側の側面部
２０  植毛台
２１  首部
２２  歯ブラシ本体
【図１】
2018108129.tif 000004
【図２】
2018108129.tif 000005
【図３】
2018108129.tif 000006
【図４】
2018108129.tif 000007
【図５】
2018108129.tif 000008
【図６】
2018108129.tif 000009